(57)【特許請求の範囲】
【請求項１】
壁面に形成した開口部を開閉するように引戸を移動自在にかぶせ組み付けし、引戸の下端と床面又は壁面の下部とに下部ガイド機構を設けてなる引戸装置において、
壁面の上部と引戸の上端との間には上部ガイド機構を設け、
上部ガイド機構は、引戸の上端に凹設されるガイド用溝に係入して引戸の開閉を案内するガイド体と、壁面に固定されて引戸の上端に延長されスカート部を垂設するブラケットと、ブラケットのスカート部の前後壁に設けられガイド体の前後方向の位置を調整する前後調整部材とから構成され、
前後調整部材はスカート部の前壁に配設される調整具を備え、
前記ガイド体は、カバー部材により基板を被覆した構成になっており、基板は、縦長方形の板状を呈し、上部に雌ねじ穴を有し、カバー部材は、上面を開口した基板収容部を内部に形成しているとともに、上部側に支持部材が成形されており、
前記ガイド体にはガイド用溝との摺接面積を減少させる凸条が前後両面に設けられ、凸条はそれぞれ上下に延長して所望間隔毎に形成され、かつ凸条の前後方向の幅Ｔ２は支持部材の前後方向の幅Ｔ１より小さくなっていることを特徴とする引戸装置。
【請求項２】
調整具は、スカート部の前壁と後壁との間に回転自在に配設されるとともにガイド体を螺合する雄ねじ軸と、スカート部の前壁からドライバー等の一般工具により回転操作可能に表出する操作部とから構成されていることを特徴する請求項１に記載の引戸装置。
【請求項３】
スカート部は左右方向に一対離間して案内壁を垂設し、案内壁の間でガイド体が前後方向に案内されることを特徴とする請求項１又は２に記載の引戸装置。
【請求項４】
ガイド体は緩衝素材で被覆されていることを特徴とする請求項１〜３のいずれかに記載の引戸装置。
【発明の詳細な説明】
【技術分野】
【０００１】
本発明は、壁面に形成した開口部を開閉するように引戸を移動自在にかぶせ組み付けしてなる下荷重式の引戸装置に関する。
【背景技術】
【０００２】
この種の引戸装置として特許第３７１７４３１号公報に記載された構成のものが開示されている。図６は、その出願に係る従来の引戸装置の斜視図、図７は、その引戸装置の主要構成部品の分解斜視図、図８は、引戸の前後調整を行うときの説明図である。
【０００３】
図６中１００は壁面、１０１は壁面１００に形成した開口部、１０２は開口部１０１を開閉するように移動自在な引戸、１０３は床面、１０４は引戸１０２の下端1０２ｂと床面１０３とに設けられた下部ガイド機構である。１１０は引戸１０２の上端１０２ａのガイドレール１０５と壁面１００の上部に固定されるガイド部材１１１とからなる上部ガイド機構である。
【０００４】
上記ガイド部材１１１は、壁面１００に取り付けられる略Ｌ字形のブラケット１１２と、このブラケット１１２の水平板１１３に垂設されて前記ガイドレール１０５との係合を許容するホルダ部材１１４と、ホルダ部材１１４の上部に設けられて引戸１０２を前後方向の位置を調整する前後調整機構１１５と、前後調整機構１１５と上記ホルダ部材１１４とを水平板１１３に固定するアッパープレート１１６とから構成されている。前記前後調整機構１１５は、ホルダ部材１１４の内部に設けられて回転操作される歯車１１７と、前後方向に配置されるラック１１８とにより構成されている。なお、１１９は、前後調整機構１１５をロックしておくロックねじ、１２０はアッパープレートの長孔、１２１は歯車１１７の操作部である。
【０００５】
上記引戸１０２の上部における前後調整は次のようにして行う。
ロックねじ１１９をスライド可能な程度に緩めておき、歯車１１７の操作部１２１をアッパープレート１１６の長孔１２０からドライバー等の調整工具１２２により回転操作することにより行う。回転操作に応じてラック１１８が前後移動してホルダ部材１１４を前後移動させ、引戸１０２の上端１０２ａが前後調整される。
【特許文献１】特許第３７１７４３１号公報
【発明の開示】
【発明が解決しようとする課題】
【０００６】
しかしながら、従来の引戸装置では、図７に示すように、ドライバー等の調整工具１２２を、ガイド部材１１１の上方から差し込む構造になっているので、天井側に接近しつつ天井側から垂直方向へ向けての操作を行う必要が生じていた。これに加えて、天井側に接近するためには、脚立等の足場を組んでおく必要が生じており、作業準備にも手間を要していた。
【０００７】
また、ガイド部材１１１が天井側に近接している場合には、ドライバー１２２を垂直方向に向けて差し込みすることができなくなってしまうので、Ｌ字形の専用工具を用いる必要があった。
【０００８】
さらに、ガイド部材１１１は、ブラケット１１２のほかに、ホルダ部材１１４、歯車１１７とラック１１８とから成る前後調整機構１１５、アッパープレート１１６及びロックねじ１１９とから組み立てして構成するものであって、部品点数が多いものであった。
そこで従来は、天井に近接する高さの引戸用に、例えばＬ字形に折れ曲げた専用の調整工具（図示しない）を用いる必要がある。
【０００９】
そこで本発明は、部品点数を低減させて簡易な構成にするとともに、引戸を組み付けするまでの作業時間を短縮し、さらに、引戸の上部ガイド機構が天井側にまで達する被せ組み付けの構造のものであっても、例えばドライバー等の一般工具によって簡単に調整することができるようにした引戸装置の提供を目的としている。
【課題を解決するための手段】
【００１０】
上記目的を達成するための本発明の構成は、次のとおりである。
請求項１に記載した引戸装置は、壁面に形成した開口部を開閉するように引戸を移動自在にかぶせ組み付けし、引戸の下端と床面又は壁面の下部とに下部ガイド機構を設けてなる引戸装置において、壁面の上部と引戸の上端との間には上部ガイド機構を設け、上部ガイド機構は、引戸の上端に凹設されるガイド用溝に係入して引戸の開閉を案内するガイド体と、壁面に固定されて引戸の上端に延長されスカート部を垂設するブラケットと、ブラケットのスカート部の前後壁に設けられガイド体の前後方向の位置を調整する前後調整部材とから構成され、前後調整部材はスカート部の前壁に配設される調整具を備えていることを特徴とする。
【００１１】
請求項２に記載の引戸装置は、請求項１に記載した調整具が、スカート部の前壁と後壁との間に回転自在に配設されるとともにガイド体を螺合する雄ねじ軸と、スカート部の前壁からドライバー等の一般工具により回転操作可能に表出する操作部とから構成されていることを特徴とする。
【００１２】
請求項３に記載の引戸装置は、請求項１又は２に記載したスカート部が左右方向に一対離間して案内壁を垂設し、案内壁の間でガイド体が前後方向に案内されることを特徴とする。
【００１３】
請求項４に記載の引戸装置は、請求項１〜３のいずれかに記載したガイド体が緩衝素材で被覆されていることを特徴としている。
【００１４】
請求項５に記載の引戸装置は、請求項１〜４のいずれかに記載したガイド体にガイド用溝との摺接面積を減少させる凸条が前後両面に設けられていることを特徴としている。
【発明の効果】
【００１５】
請求項１に記載した発明によれば、ブラケットの前壁に配設される調整具を調整することにより、格別な作業準備や専用工具を要することなく、引戸の前面側から前後調整作業を容易に行うことができる。また、上部ガイド機構をブラケットのスカート部とこれに垂設する前後調整部材とこの前後調整部材に調整されるガイド体とから部品点数を簡素化することができ、格別の組み付け作業を省略化することができる。
【００１６】
請求項２に記載の発明によれば、ブラケットの前壁からドライバー等の一般工具により操作部を回転操作することができる。
【００１７】
請求項３に記載の発明によれば、ガイド体が左右方向に離間する案内壁の間で前後方向に確実に案内され、部品点数を低減させたより簡易な構造にすることができる。
【００１８】
請求項４に記載の発明によれば、ガイド体を緩衝素材で被覆しているので、引戸の開閉を軽やかに行うことができる。
【００１９】
請求項５に記載の発明によれば、ガイド体の凸条が前後面からガイド用溝との摺動抵抗を低減させることができ、引戸の開閉を軽やかに行うことができる。
【発明を実施するための最良の形態】
【００２０】
以下に、本発明を実施するための最良の形態について、図面を参照して説明する。図１は本発明の一実施形態に係る引戸装置の斜視図、図２は引戸装置の断面図、図３はガイド部材の分解斜視図、図４は下方から見たガイド部材の分解斜視図である。図中、図６〜図８と同一符号は同等部分を示すので、重複説明を省略する。
【００２１】
引戸装置１は、壁面１００の上部と引戸１０２の上端１０２ａとの間には上部ガイド機構２を設け、上部ガイド機構２は引戸１０２の上端１０２ａに凹設する左右方向へのガイド用溝３と、ガイド用溝３に係入して引戸１０２の開閉を案内するガイド体４と、壁面１００に固定されて引戸１０２の上端１０２ａの上位に延長され上記ガイド体４を垂設するブラケット５と、ブラケット５から水平に延長されてガイド体４の前後方向の位置を調整する前後調整部材６とから構成される。前後調整部材６はブラケット５の前壁８に配設される調整具９を備えている。
【００２２】
ブラケット５は、横長方形の座金部１０を備え、座金部１０の上位左右には上下方向への長孔１１，１１が設けられ、中央下位には固定孔１２が設けられている。
【００２３】
また、上記ブラケット５は、座金部１０の上部から水平に折曲されて全体が略Ｌ字形を呈し、水平部位には略方形を呈する天板面部１６からスカート部１５が下方へ垂設されている。上記スカート部１５は天板面部１６の４辺から前壁８と後壁１７左右の案内壁１８，１８とが一体枠状に垂設されている。さらに、上記スカート部１５の前壁８と後壁１７とには前記前後調整部材６が前後方向に向けて水平状態で回転自在に支持されている。
【００２４】
上記スカート部１５には、その前壁８から後壁１７に向かって水平に前後調整部材６がねじ送り機構として配設され、中間部位の雄ねじ軸２２には前記ガイド体４が螺合されて前後方向への送り可能に構成される。なお、後壁１７は座金部１０の上部から前側に僅かに傾斜成形されている。
詳述すると、スカート部１５の前壁８には皿穴２３が設けられ、頭部を皿形状としてドライバーの係入を許容する操作部２４が回動自在に皿穴２３に配置され、操作部２４が前壁８から略同一面上に表出している。なお、操作部２４としてはプラスねじ溝を図示しているが、頭部自体をソケットドライバーやヘックスドライバーで回転させられる形状にしてもよい。スカート部１５は左右に案内壁１８，１８を前後方向にわたって等間隔で配置し、ガイド体４の前後移動を左右から規制して案内する構造となっている。
【００２５】
また、前後調整部材６は、先端にねじ構造を有しない回転軸２５を備え、回転軸２５が後壁１７の受穴２７に回転自在に係入・支持された後に、回転軸２５がワッシャー等２６でかしめ止めされて取り付けされる。さらに、前記ガイド体４は、上部に雌ねじ穴２８を備えてねじ送りにより前後移動されることとなる。
【００２６】
前記ガイド体４は、カバー部材３０により基板３１を被覆した構成になっている。基板３１は、縦長方形の板状を呈し、上部に前記雌ねじ穴２８を有している。
カバー部材３０は、６ナイロン複合材等の合成樹脂製の緩衝素材であり、上面を開口した基板収容部３２を内部に形成しているとともに、上部側に支持部材３３を拡張する。支持部材３３は上部周囲に膨張され、前後方向では厚みＴ１に成形されて補強を果すと同時に、左右方向では案内壁１８，１８に案内される幅Ｗ１に成形される。その結果、厚みＴ１の分だけ前後方向での規制幅が拡大し、安定摺接が図られる構造となる。
【００２７】
また、ガイド体４はガイド用溝３との衝接を緩和する緩衝素材が選択され、これによって引戸１０２の移動を軽やかに行うことができる。また、上記した６ナイロン複合材等を採用することにより、ガイド用溝３との摺動抵抗をも低減させることができる。
【００２８】
次に、カバー部材３０の支持部材３３の前後両壁には、雌ねじ穴２８の軸線上に遊挿孔３４，３４が設けられている。さらに、カバー部材３０の下位には、前後両面にガイド用溝３との接触面積を減少させる凸条３５・・をそれぞれ上下に延長して所望間隔毎に形成している。凸条３５・・は幅Ｔ１より小さな幅Ｔ２に突出され、左右方向へなだらかに隆起され、それら凸条３５・・によって摺動抵抗を減らしている。これにより、引戸１０２の開閉をより軽やかに行うことができる。
【００２９】
なお、引戸１０２の下端１０２ｂの下部ガイド機構には、前後調整機構３６と上下調整機構３７とレール３８とが備えられている。
【００３０】
以上の構成による引戸装置を組み付ける方法について、図２を参照して説明する。
【００３１】
壁面１００の上部に上部ガイド機構２をねじ止めして取り付ける。その際、ブラケット５の座金部１０を壁面１００に当接し、長孔１１，１１に止めねじ１３，１３を仮止めし、ガイド体４のガイド用溝３への上下方向における係入状態を確認する。長孔１１，１１を介して上下方向での調整を行った後に、長孔１１，１１への止めねじ１３，１３を本止めし、併せて固定孔１２に止めねじ１４をねじ込みして位置決めする。
【００３２】
前後調整の必要がある場合には、操作部２４に例えばドライバー１２２を係入して操作部２４を回転操作すると、前後調整部材６の雄ねじ軸２２が回転して雌ねじ穴２８に螺合するガイド体４を左右の案内壁１８，１８で案内しつつ前後方向へねじ送り移動させる。この前後移動に伴って、ガイド体４がガイド用溝３を介して引戸１０２の上端１０２ａを前後方向に移動させ、引戸１０２の上部における前後調整が前面側から行われる。なお、引戸１０２の下端１０２ｂでは、木口面側から上端での傾斜具合を目視しながら前後調整機構３６により必要に応じて前後調整される。
【００３３】
この実施態様によると、引戸１０２の上端１０２ａまで腕を上げて操作部２４にドライバー１２２を差込みして回転操作するだけで引戸１０２の上部における前後調整を容易に行うことができ、上部ガイド機構２が天井側に接近している場合であっても、専用工具を携行することなく前後調整作業を行うことができ、引戸１０２の前後調整作業性が著しく向上できる。
【００３４】
また、この実施態様によると、上部ガイド機構２が引戸１０２のガイド用溝３に係入するガイド体４と、ガイド体４を垂設するブラケット５と、ブラケット５に設けられる前後調整部材６とから簡素化して構成することができ、部品点数を削減することができる。
【００３５】
図５は、他例に係る引戸調整具の分解斜視図である。なお、前述したガイド体４とは、ガイド部位の構成のみが異なるので、同一部位には同一の符号を付して重複説明を省略する。
【００３６】
ガイド体５０は、支持部材５１に２本の摺接部材５２，５２を垂設し、支持部材５１には雌ねじ穴５３を設けた構成のものである。摺接部材５２は、ガイド用溝３に挿入できる外径と長さにした円筒形の本体を備え、その上端面にねじ部材５４を突出して形成している。そのねじ部材５４を、上記支持部材５１の下壁に形成したねじ孔（図示しない）に螺合させて固定することにより、ガイド体５０を組み立てることができる。
なお、摺接部材５２は１本だけでもよく、また、支持部材５１に対して回転できるように取り付けるようにしてもよい。
【００３７】
本発明は、前述した実施形態に限るものではなく、次のような変形実施が可能である。
・上記の実施形態においては、ガイド体４をカバー部材３０により被覆した例について説明したが、ガイド用溝３の接触部分に緩衝素材を設けた構成にしてもよい。
【図面の簡単な説明】
【００３８】
【図１】本発明の一実施形態に係る引戸装置の斜視図である。
【図２】同上の引戸装置を部分的に断面若しくは透過して示す部分正面図である。
【図３】ガイド部材の斜視図である。
【図４】下方からみたガイド部材の斜視図である。
【図５】他例に係る前後調整部材の分解斜視図である。
【図６】従来の引戸装置の斜視図である。
【図７】従来の引戸装置の主要構成部品の分解斜視図である。
【図８】従来の引戸の前後調整を行うときの説明図である。
【符号の説明】
【００３９】
１            引戸装置
２            上部ガイド機構
３            ガイド用溝
４、５０      ガイド体
５            ブラケット
６            前後調整部材
８            前壁
９            調整具
１０          座金部
１５          スカート部
１６          天板面部
１７          後壁
１８          案内壁
２２          雄ねじ軸
２４          操作部
２８，５３    雌ねじ穴
３０          カバー部材
３３、５１    支持部材
３５          凸条  
【図１】
0004786422.tif 000002
【図２】
0004786422.tif 000003
【図３】
0004786422.tif 000004
【図４】
0004786422.tif 000005
【図５】
0004786422.tif 000006
【図６】
0004786422.tif 000007
【図７】
0004786422.tif 000008
【図８】
0004786422.tif 000009